(57)【特許請求の範囲】
【請求項１】
ラック本体（１）を備えるビードワイヤ包装装置であって、
前記ラック本体（１）には、
第１巻付軸（２１）及び第２巻付軸（２２）を備える巻付部（２）と、
Ｈ型輪（Ｈ‐ｓｈａｐｅｄ  ｗｈｅｅｌ）（３１）及び前記Ｈ型輪（３１）を回転させる駆動部（３２）を備えるＨ型輪アセンブリ（３）と、
前記巻付部（２）により直接的または間接的に供給されるフィルム材料を切断するように構成される包装材切断機構（４）と、
運動機構（５１）を備える包装材ガイド機構（５）であって、前記運動機構（５１）は、第１方向及び第２方向の往復運動に適するように構成され、前記第１方向は、前記Ｈ型輪（３１）に接近及び離反する方向であり、一方、前記第２方向は、直交する方向であり、前記運動機構（５１）には、吸着アセンブリ（５２）及び押圧アセンブリ（５３）が設けられ、前記吸着アセンブリ（５２）は、負圧を介して前記フィルム材料を吸着し、前記フィルム材料の切断された尾端を前記運動機構（５１）の作用下で前記Ｈ型輪（３１）に送出するように構成され、前記押圧アセンブリ（５３）は、前記運動機構（５１）の作用下で前記Ｈ型輪（３１）に向けて移動し、前記フィルム材料を押圧するように構成される包装材ガイド機構（５）と、
ゴムストリップを前記Ｈ型輪（３１）上で前記フィルム材料に貼り付けるように構成されるゴム貼付機構（６）と、
が設けられる、ビードワイヤ包装装置。
【請求項２】
前記運動機構（５１）は、
底部が前記ラック本体（１）に接続された状態で前記第２方向に沿って配置される交差スライドテーブル送り台（５１１）と、
前記交差スライドテーブル送り台（５１１）に接続され、前記第１方向に沿って配置され、スライドブロック（５１３）が設けられるガイドレール（５１２）と、
を備える、請求項１に記載のビードワイヤ包装装置。
【請求項３】
前記吸着アセンブリ（５２）及び前記押圧アセンブリ（５３）は、接続ロッド（５４）を介して接続され、前記接続ロッド（５４）は、前記ガイドレール（５１２）上にスライドする形で配置され、前記接続ロッド（５４）は、前記スライドブロック（５１３）に接続される、請求項２に記載のビードワイヤ包装装置。
【請求項４】
前記包装材切断機構（４）は、
前記包装材切断機構（４）の内部に配置される空気圧式包装材切断機（４１）と、
前記空気圧式包装材切断機（４１）の上部に固定され、前記第１巻付軸（２１）及び前記第２巻付軸（２２）にそれぞれ適合する２つの包装材供給ポート（４２１）を備える包装材バケット（４２）と、
を備える、請求項１に記載のビードワイヤ包装装置。
【請求項５】
前記駆動部（３２）には、包装材押圧機構（３３）が設けられ、前記包装材押圧機構（３３）は、前記Ｈ型輪（３１）と同期して回転するように前記駆動部（３２）により駆動される、請求項１に記載のビードワイヤ包装装置。
【請求項６】
前記包装材押圧機構（３３）は、
一方の端部が前記駆動部（３２）に接続される包装材押圧ロッド（３３１）と、
前記包装材押圧ロッド（３３１）の他方の端部に接続され、前記フィルム材料を前記Ｈ型輪（３１）に押圧するように構成される押圧ヘッド（３３２）と、
を備える、請求項５に記載のビードワイヤ包装装置。
【請求項７】
前記ゴム貼付機構（６）は、
前記ゴム貼付機構（６）の一方の側に配置される材料トレイ（６１）と、
前記ゴム貼付機構（６）の底部に配置される再利用巻付トレイ（６２）と、
前記ゴム貼付機構（６）の上部に配置され、前記Ｈ型輪（３１）に接近及び離反するよう垂直方向に運動するように、前記ゴム貼付機構（６）を調整するように構成されるＺ軸方向調整手動クランク（６３）と、
前記Ｚ軸方向調整手動クランク（６３）と直交し、前記Ｈ型輪（３１）の軸方向に沿った前記ゴム貼付機構（６）の運動を調整するように構成されるＸ軸方向調整手動クランク（６４）と、
前記ゴム貼付機構（６）において前記材料トレイ（６１）に対して反対側に配置され、底部にゴムストリッピングボード（ｒｕｂｂｅｒ  ｓｔｒｉｐｐｉｎｇ  ｂｏａｒｄ）（６６）が設けられるゴム押圧ロッド（６５）であって、前記ゴムストリッピングボード（６６）は、前記ゴム押圧ロッド（６５）の作用下で、前記ゴムストリップを前記Ｈ型輪（３１）上で、前記フィルム材料に貼り付けるように構成されるゴム押圧ロッド（６５）と、
前記ゴム押圧ロッド（６５）と、前記再利用巻付トレイ（６２）との間に配置され、ゴムストライプ原料（ｒｕｂｂｅｒ  ｓｔｒｉｐｅ  ｒａｗ  ｍａｔｅｒｉａｌ）を前記再利用巻付トレイ（６２）に牽引するように構成される牽引機構（６７）と、
を備える、請求項１に記載のビードワイヤ包装装置。
【請求項８】
前記ラック本体（１）には、少なくとも１つのずれ補正システム（７）が設けられ、前記ずれ補正システム（７）は、
前記巻付部（２）により直接的または間接的に供給される前記フィルム材料の位置を検出するように構成されるずれ補正センサ（７１）と、
前記ずれ補正センサ（７１）に接続され、前記フィルム材料を前記フィルム材料の幅方向に沿って移動させるように構成されるずれ補正駆動部（７２）と、
を備える、請求項１に記載のビードワイヤ包装装置。
【請求項９】
前記ラック本体（１）には、２つのずれ補正システム（７）が設けられ、前記２つのずれ補正システム（７）は、前記第１巻付軸（２１）及び前記第２巻付軸（２２）にそれぞれ適合し、前記２つのずれ補正システム（７）は、前記ラック本体（１）の高さ方向に沿って間隔を空けて配置される、請求項８に記載のビードワイヤ包装装置。
【請求項１０】
２つの包装材ガイドロール装置（８）は、前記ずれ補正システム（７）と前記巻付部（２）との間に配置され、前記２つの包装材ガイドロール装置（８）は、前記第１巻付軸（２１）及び前記第２巻付軸（２２）にそれぞれ適合し、前記２つの包装材ガイドロール装置（８）は、前記ラック本体（１）の高さ方向に沿って間隔を空けて配置される、請求項８に記載のビードワイヤ包装装置。
【請求項１１】
それぞれの前記ずれ補正システム（７）は、包装材供給ロール装置（９）に接続され、前記包装材供給ロール装置（９）は、前記ラック本体（１）の高さ方向に沿って間隔を空けて配置され、前記包装材供給ロール装置（９）は、前記ずれ補正システム（７）により送出される前記フィルム材料を前記包装材切断機構（４）に搬送するように構成される、請求項１０に記載のビードワイヤ包装装置。
【請求項１２】
請求項１に記載のビードワイヤ包装装置であって、
前記巻付部（２）は、前記ラック本体（１）の一方の端部に配置され、
前記巻付部（２）の前記第１巻付軸（２１）及び前記第２巻付軸（２２）は、間隔を空けて並んで配置され、
前記ゴム貼付機構（６）は、前記ラック本体（１）において前記巻付部（２）に対して反対側の端部に配置され、
前記Ｈ型輪アセンブリ（３）は、前記ゴム貼付機構（６）の下方に配置され、
前記包装材切断機構（４）は、前記巻付部（２）の斜め下方で前記Ｈ型輪アセンブリ（３）に近接して配置され、
前記包装材ガイド機構（５）の上部が前記包装材切断機構（４）に接続されると共に、前記包装材ガイド機構（５）の下部が前記ラック本体（１）の底部に接続され、
前記包装材ガイド機構（５）の前記運動機構（５１）の上部が前記包装材切断機構（４）に接続される、ビードワイヤ包装装置。
【請求項１３】
請求項１に記載のビードワイヤ包装装置を用いて実行される、ビードワイヤ包装方法。
【発明の詳細な説明】
【発明の詳細な説明】
【０００１】
［技術分野］
本発明は、包装装置の分野、特に、ビードワイヤ包装装置及び包装方法に関する。
【０００２】
［背景］
タイヤの重要な部品として、ビードワイヤは、通常、ビードワイヤ製造業者により製造され、タイヤ製造業者に供給される。ビードワイヤが酸化することを防止するために、ビードワイヤは、納入後、厳重に封止及び包装する必要がある。ビードワイヤが空気に晒される場合には、引張強度及びねじれ率などの特性の低下を伴って、酸化、退色、さびるなどし、それにより、ワイヤのゴムへの接着を引き起こし、ワイヤのゴム接着率を低下させ、ワイヤの品質に影響を及ぼす。現在、ビードワイヤの包装のためにＨ型輪を用いることがトレンドとなってきた。しかしながら、この作業は、主に手作業に依存しているため、ビードワイヤの包装の品質の悪さ及び非効率性をもたらす。それゆえに、特別なＨ型輪ビードワイヤ包装装置を開発することは、この産業にとって、共通の必要条件となっている。
【０００３】
［概要］
従来技術において存在する欠点を考慮して、本発明は、ビードワイヤの包装効率を向上させ、ビードワイヤの包装品質を改善する、ビードワイヤ包装装置及び包装方法を提供することを目的とする。
【０００４】
上述の目的を実現するために、本発明は、次の技術的解決法を採用する。
ラック本体を備えるビードワイヤ包装装置であって、ラック本体には、第１巻付軸及び第２巻付軸を備える巻付部と、Ｈ型輪及びＨ型輪を回転させる駆動部を備えるＨ型輪アセンブリと、巻付部により直接的または間接的に供給されるフィルム材料を切断するように構成される包装材切断機構と、運動機構を備える包装材ガイド機構と、ゴムストリップをＨ型輪上でフィルム材料に貼り付けるように構成されるゴム貼付機構と、が設けられる。運動機構は、第１方向及び第２方向の往復運動に適するように構成され、第１方向はＨ型輪に接近及び離反する方向であり、一方、第２方向は直交する方向であり、運動機構には、吸着アセンブリ及び押圧アセンブリが設けられ、吸着アセンブリは、負圧を介してフィルム材料を吸着し、フィルム材料の切断された尾端を運動機構の作用下でＨ型輪に送出するように構成され、押圧アセンブリは、運動機構の作用下でＨ型輪に向けて移動し、フィルム材料を押圧するように構成される。
【０００５】
本発明のビードワイヤ包装装置は、単純な構造、容易な操作、自動包装、手作業の削減、ビードワイヤの包装効率の向上、及び、ビードワイヤの包装品質の改善といった利点を有する。
【０００６】
上述の技術的解決法に基づいて、運動機構は、底部がラック本体に接続された状態で第２方向に沿って配置される交差スライドテーブル送り台と、交差スライドテーブル送り台に接続され、第１方向に沿って配置され、スライドブロックが設けられるガイドレールと、を備える。スライドブロックは、運動機構とＨ型輪との間の相対位置を調整するために第１方向及び第２方向にスライド可能である。
【０００７】
上述の技術的解決法に基づいて、吸着アセンブリ及び押圧アセンブリは、接続ロッドを介して接続され、接続ロッドは、ガイドレール上にスライドする形で配置され、接続ロッドは、スライドブロックに接続される。スライドブロックは、吸着アセンブリ及び押圧アセンブリを移動させるために接続ロッドを移動させるように移動し、それにより、吸着アセンブリが負圧を介してフィルム材料を吸着し、フィルム材料の切断された尾端を運動機構の作用下でＨ型輪に送出することを保証し、押圧アセンブリが運動機構の作用下でＨ型輪に向けて移動しフィルム材料を押圧することを確実にする。
【０００８】
上述の技術的解決法に基づいて、包装材切断機構は、包装材切断機構の内部に配置される空気圧式包装材切断機と、空気圧式包装材切断機の上部に固定され、第１巻付軸及び第２巻付軸にそれぞれ適合する２つの包装材供給ポートを有する包装材バケットと、を備える。第１巻付軸及び第２巻付軸に巻き付けられたフィルム材料は、２つの包装材供給ポートをそれぞれ通って包装材切断機構に入り、空気圧式切断機は、包装材供給ポート内でフィルム材料を切断するように構成される。
【０００９】
上述の技術的解決法に基づいて、駆動部には、包装材押圧機構が設けられ、包装材押圧機構は、Ｈ型輪と同期して回転するように駆動部により駆動される。
上述の技術的解決法に基づいて、包装材押圧機構は、一方の端部が駆動部に接続される包装材押圧ロッドと、包装材押圧ロッドの他方の端部に接続され、フィルム材料をＨ型輪に押圧するように構成される押圧ヘッドと、を備える。押圧ヘッドは、包装材バケットにより供給されるフィルム材料をＨ型輪上に押圧し、包装材押圧機構は、駆動部により駆動されて、フィルム材料をＨ型輪上に巻き付けるようにＨ型輪と同期して回転し、それにより、Ｈ型輪上でビードワイヤを包装材で包装する。
【００１０】
上述の技術的解決法に基づいて、ゴム貼付機構は、ゴム貼付機構の一方の側に配置され、貼り付けるためのゴム材料を巻き付けるように構成される材料トレイと、ゴム貼付機構の底部に配置され、再利用のための使用済みゴムストライプ原料を巻き付けるように構成される再利用巻付トレイと、ゴム貼付機構の上部に配置され、Ｈ型輪に接近及び離反するよう垂直方向へ運動するようにゴム貼付機構を調整するように構成されるＺ軸方向調整手動クランクと、Ｚ軸方向調整手動クランクと直交し、Ｚ軸方向及びＸ軸方向の調整後に、ゴム貼付機構がゴムをＨ型輪上でフィルム材料に正確に貼り付けるように、Ｈ型輪の軸方向に沿ったゴム貼付機構の運動を調整するように構成されるＸ軸方向調整手動クランクと、ゴム貼付機構において材料トレイに対して反対側に配置され、底部にゴムストリッピングボードが設けられるゴム押圧ロッドであって、ゴムストリッピングボードは、ゴム押圧ロッドの作用下でゴムストリップをＨ型輪上でフィルム材料に貼り付け、ゴム押圧ロッドは下方に移動し、それにより、ゴムストリッピングボードにゴムストリップをＨ型輪上でフィルム材料に貼り付けさせるゴム押圧ロッドと、ゴム押圧ロッドと再利用巻付トレイとの間に配置され、ゴムストライプ原料を再利用巻付トレイに牽引するように構成される牽引機構と、を備える。ゴムストライプ原料は、材料費を削減するために再利用される。
【００１１】
上述の技術的解決法に基づいて、ラック本体には、少なくとも１つのずれ補正システムが設けられ、ずれ補正システムは、巻付部により直接的または間接的に供給されるフィルム材料の位置を検出するように構成されるずれ補正センサと、ずれ補正センサに接続され、フィルム材料をフィルム材料の幅方向に沿って移動させるように構成される、ずれ補正駆動部と、を備える。ずれ補正システムは、フィルム材料が搬送工程の間にずれ易いという問題を高い制御精度で解決し、巻き付けられたフィルム材料がぶれず、容易に緩まないことを保証する。
【００１２】
上述の技術的解決法に基づいて、ラック本体には、２つのずれ補正システムが設けられ、２つのずれ補正システムは、第１巻付軸及び第２巻付軸にそれぞれ適合し、２つのずれ補正システムは、ラック本体の高さ方向に沿って間隔を空けて配置される。それぞれの巻付軸が１つのずれ補正システムに対応しているので、ビードワイヤの包装に用いられるフィルム材料は両方とも補正され、それゆえに、異なるフィルム材料がビードワイヤの包装後に容易に緩まないことをさらに確実にし、包装品質及び精度を保証する。
【００１３】
上述の技術的解決法に基づいて、２つの包装材ガイドロール装置は、ずれ補正システムと巻付部との間に配置され、２つの包装材ガイドロール装置は、第１巻付軸及び第２巻付軸にそれぞれ適合し、２つの包装材ガイドロール装置は、ラック本体の高さ方向に沿って間隔を空けて配置される。包装材ガイドロール装置は、それぞれの巻付軸とずれ補正システムとの間に対応して配置され、２つの包装材ガイドロール装置は、第１巻付軸及び第２巻付軸上のフィルム材料を対応するずれ補正システムにそれぞれ搬送してもよく、２つの包装材ガイドロール装置は、互いに干渉しない。
【００１４】
上述の技術的解決法に基づいて、それぞれのずれ補正システムは、包装材供給ロール装置に接続され、包装材供給ロール装置は、ラック本体の高さ方向に沿って間隔を空けて配置され、包装材供給ロール装置は、ずれ補正システムにより送出されるフィルム材料を包装材切断機構に搬送するように構成される。包装材供給ロール装置は、ずれ補正システムに接続され、補正されたフィルム材料を包装材切断機構の２つの包装材供給ポートにそれぞれ供給し、２つのフィルム材料は分離され、互いに干渉しない。
【００１５】
ラック本体を備えるビードワイヤ包装装置であって、ラック本体には、ラック本体の一方の端部に配置され、間隔を空けて並んで配置される第１巻付軸及び第２巻付軸を備える巻付部と、ラック本体において、巻付部に対して反対側の端部に配置されるゴム貼付機構と、ゴム貼付機構の下方に配置され、Ｈ型輪及びＨ型輪を回転させる駆動部を備えるＨ型輪アセンブリと、巻付部の斜め下方でＨ型輪アセンブリに近接して配置される包装材切断機構と、その上部が包装材切断機構に接続されると共に下部がラック本体の底部に接続され、運動機構を備える包装材ガイド機構と、が設けられる。運動機構の上部が包装材切断機構に接続され、運動機構には、吸着アセンブリ及び押圧アセンブリが設けられる。
【００１６】
本発明のビードワイヤ包装装置は、ビードワイヤの包装効率を向上すると共にビードワイヤの包装品質を改善するためにビードワイヤ包装に用いられる。
ビードワイヤ包装方法は、上述のビードワイヤ包装装置を用いてビードワイヤ包装を実行する。ビードワイヤ包装方法の全体は、単純な工程、高精度、及び、高効率を有し、ビードワイヤの包装品質は改善され、包装後、巻き付けられたフィルム材料はぶれず、容易に緩むことが無く、ビードワイヤは２つのフィルム材料により包装されてもよく、包装工程の間にそれらが互いに干渉することがなく、作業工程は迅速で効率的であり、自動操作が実現され、手作業が削減される。
【００１７】
従来技術と比較して、本発明は、以下の利点を有する。
（１）本発明のビードワイヤ包装装置はラック本体を備え、ラック本体には、巻付部、Ｈ型輪アセンブリ、包装材切断機構、包装材ガイド機構、及び、ゴム貼付機構が設けられ、巻付部は、２つの異なるフィルム材料をそれぞれ巻き付ける第１巻付軸及び第２巻付軸を備え、Ｈ型輪アセンブリは、ビードワイヤを巻き付けるＨ型輪、及び、Ｈ型輪を回転させる駆動部を備え、包装材切断機構は、巻付部により直接的または間接的に供給されるフィルム材料を切断するように構成され、包装材ガイド機構は、運動機構を備え、運動機構は、Ｈ型輪に接近及び離反するような運動、または、直交する方向への運動が可能であり、運動機構には、吸着アセンブリ及び押圧アセンブリが設けられ、吸着アセンブリは、負圧を介してフィルム材料を吸着し、フィルム材料の切断された尾端を運動機構の作用下でＨ型輪に送出するように構成され、押圧アセンブリは、運動機構の作用下でＨ型輪へ向けて移動し、フィルム材料を押圧するように構成され、ゴム貼付機構は、Ｈ型輪上でゴムストリップをフィルム材料に貼り付けるように構成され、本発明のビードワイヤ包装装置は、ビードワイヤの包装効率を向上すると共に、ビードワイヤの包装品質を改善するように、ビードワイヤ包装が構成される。
【００１８】
（２）本発明のビードワイヤ装置のラック本体には、フィルム材料が搬送工程において容易にずれるといった問題を高い制御精度で解決し、巻き付けられたフィルム材料がぶれず、容易に緩まないことを保証するずれ補正システムが設けられる。
【図面の簡単な説明】
【００１９】
【図１】本発明の実施形態によるビードワイヤ包装装置の３次元構造模式図である。
【図２】本発明の実施形態によるビードワイヤ包装装置の正面図である。
【発明を実施するための形態】
【００２０】
［実施形態の詳細な説明］
本発明は、図面及び実施形態を参照して、さらに以下に詳細に説明される。
図１及び図２を参照して、本発明の実施形態は、ビードワイヤ包装装置を提供する。ビードワイヤ包装装置はラック本体１を備え、ラック本体１には、２つの層でビードワイヤを包装するために、異なるフィルム材料をそれぞれ巻き付ける第１巻付軸２１及び第２巻付軸２２を備える巻付部２と、Ｈ型輪３１及びＨ型輪３１を回転させる駆動部３２を備えるＨ型輪アセンブリ３と、巻付部２により直接的または間接的に供給されるフィルム材料を切断するように構成される包装材切断機構４と、運動機構５１を備える包装材ガイド機構５と、ゴムストリップをＨ型輪３１上でフィルム材料に貼り付けるように構成されるゴム貼付機構６と、が設けられる。運動機構５１は第１方向及び第２方向の往復運動に適するように構成され、第１方向はＨ型輪３１に接近及び離反する方向であって、本実施形態において、第１方向は水平方向であり、第２方向は直交する方向であって、本実施形態において、第２方向は垂直方向であり、運動機構５１には吸着アセンブリ５２及び押圧アセンブリ５３が設けられ、吸着アセンブリ５２は、負圧を介してフィルム材料を吸着し、フィルム材料の切断された尾端を運動機構５１の作用下でＨ型輪３１に送出するように構成され、押圧アセンブリ５３は、運動機構５１の作用下でＨ型輪３１に向けて移動し、フィルム材料を押圧するように構成される。本発明の実施形態のビードワイヤ包装装置は、単純な構造、容易な操作、自動包装、手作業の削減、ビードワイヤの包装効率の向上、及び、ビードワイヤの包装品質の改善といった利点を有する。
【００２１】
運動機構５１は、底部がラック本体１に接続された状態で第２方向に沿って配置される交差スライドテーブル送り台５１１と、交差スライドテーブル送り台５１１に接続され、第１方向に沿って配置され、スライドブロック５１３が設けられるガイドレール５１２と、を備える。スライドブロック５１３は、運動機構５１とＨ型輪３１との間の相対位置を調整するために、第１方向及び第２方向にスライド可能である。
【００２２】
吸着アセンブリ５２及び押圧アセンブリ５３は、接続ロッド５４を介して接続され、接続ロッド５４は、スライドする形でガイドレール５１２上に配置され、接続ロッド５４は、スライドブロック５１３に接続される。スライドブロック５１３は、吸着アセンブリ５２及び押圧アセンブリ５３を移動させるために、接続ロッド５４を移動させるように移動し、それにより、吸着アセンブリ５２が負圧を介してフィルム材料を吸着し、フィルム材料の切断された尾端を運動機構５１の作用下でＨ型輪３１に送出することを確実にし、押圧アセンブリ５３が運動機構５１の作用下でＨ型輪３１に向けて移動し、フィルム材料を押圧することを保証する。
【００２３】
包装材切断機構４は、包装材切断機構４の内部に配置される空気圧式包装材切断機４１と、空気圧式包装材切断機４１の上部に固定され、第１巻付軸２１及び第２巻付軸２２にそれぞれ適合する２つの包装材供給ポート４２１を有する包装材バケット４２と、を備える。第１巻付軸２１及び第２巻付軸２２に巻き付けられたフィルム材料は、２つの包装材供給ポート４２１をそれぞれ通って包装材切断機構４に入り、空気圧式包装材切断機４１は、包装材供給ポート４２１内で、フィルム材料を切断するように構成される。
【００２４】
本発明の実施形態において、駆動部３２には、包装材押圧機構３３が設けられ、包装材押圧機構３３は、Ｈ型輪３１と同期して回転するように駆動部３２により駆動される。包装材押圧機構３３は、一方の端部が駆動部３２に接続される包装材押圧ロッド３３１と、包装材押圧ロッド３３１の他方の端部に接続され、フィルム材料をＨ型輪３１に押圧するように構成される押圧ヘッド３３２と、を備える。押圧ヘッド３３２は、包装材バケット４２により供給されるフィルム材料をＨ型輪３１上に押圧し、包装材押圧機構３３は、駆動部３２により駆動されて、フィルム材料をＨ型輪３１上に巻き付けるようにＨ型輪と同期して回転し、それにより、Ｈ型輪３１上でビードワイヤを包装材で包装する。
【００２５】
ゴム貼付機構６は、ゴム貼付機構６の一方の側に配置され、貼り付けるためのゴム材料を巻き付けるように構成される材料トレイ６１と、ゴム貼付機構６の底部に配置され、再利用のための使用済みゴムストライプ原料を巻き付けるように構成される再利用巻付トレイ６２と、ゴム貼付機構６の上部に配置され、Ｈ型輪３１に接近及び離反するよう垂直方向に運動するように、ゴム貼付機構６を調整するように構成されるＺ軸方向調整手動クランク６３と、Ｚ軸方向調整手動クランク６３と直交し、調整後にゴム貼付機構６がゴムをＨ型輪３１上でフィルム材料に正確に貼り付けるように、Ｈ型輪３１の軸方向に沿ったゴム貼付機構６の運動を調整するように構成されるＸ軸方向調整手動クランク６４と、ゴム貼付機構６において材料トレイ６１に対して反対側に配置され、底部にゴムストリッピングボード６６が設けられたゴム押圧ロッド６５と、ゴム押圧ロッド６５と再利用巻付トレイ６２との間に配置され、ゴムストライプ原料を再利用巻付トレイ６２に牽引するように構成される牽引機構６７と、を備える。ゴムストリッピングボード６６は、ゴム押圧ロッド６５の作用下でゴムストリップをＨ型輪３１上でフィルム材料に貼り付け、ゴム押圧ロッド６５は下方に移動し、それにより、ゴムストリッピングボード６６にゴムストリップをＨ型輪３１上でフィルム材料に貼り付けさせる。ゴムストライプ原料は、材料費を削減するために再利用される。
【００２６】
本発明の実施形態において、ラック本体１には、少なくとも１つのずれ補正システム７が設けられ、ずれ補正システム７は、巻付部２により直接的または間接的に供給されるフィルム材料の位置を検出するように構成されるずれ補正センサ７１と、ずれ補正センサ７１に接続され、フィルム材料をフィルム材料の幅方向に沿って移動させるように構成されるずれ補正駆動部７２と、を備える。ずれ補正システムは、フィルム材料が搬送工程においてずれ易いという問題を高い制御精度にて解決し、巻き付けられたフィルム材料がぶれず、容易に緩まないことを保証する。
【００２７】
ラック本体１には、２つのずれ補正システム７が設けられ、２つのずれ補正システム７は第１巻付軸２１及び第２巻付軸２２にそれぞれ適合し、２つのずれ補正システム７は、ラック本体１の高さ方向に沿って間隔を空けて配置される。それぞれの巻付軸が１つのずれ補正システム７に対応しているので、ビードワイヤの包装に用いられるフィルム材料は両方とも補正され、それゆえに、異なるフィルム材料がビードワイヤの包装後に容易に緩まないことをさらに確実にし、包装品質及び精度を保証する。
【００２８】
２つの包装材ガイドロール装置８は、ずれ補正システム７と巻付部２との間に配置され、２つの包装材ガイドロール装置８は、第１巻付軸２１及び第２巻付軸２２にそれぞれ適合し、２つの包装材ガイドロール装置８は、ラック本体１の高さ方向に沿って、間隔を空けて配置される。包装材ガイドロール装置８は、それぞれの巻付軸とずれ補正システム７との間に対応して配置され、２つの包装材ガイドロール装置８は、第１巻付軸２１及び第２巻付軸２２上のフィルム材料を対応するずれ補正システム７へそれぞれ搬送してもよく、２つの包装材ガイドロール装置８は、互いに干渉しない。
【００２９】
それぞれのずれ補正システム７は、包装材供給ロール装置９に接続され、これらの包装材供給ロール装置９は、ラック本体１の高さ方向に沿って間隔を空けて配置され、これらの包装材供給ロール装置９は、ずれ補正システム７により送出されるフィルム材料を包装材切断機構４に搬送するように構成される。これらの包装材供給ロール装置９は、ずれ補正システム７に接続され、補正されたフィルム材料を包装材切断機構４の２つの包装材供給ポート４２１へそれぞれ供給し、２つのフィルム材料は分離され、互いに干渉しない。
【００３０】
本発明の実施形態は、ビードワイヤ包装装置を提供する。好ましくは、ビードワイヤ包装装置は、ラック本体１を備え、ラック本体１には、ラック本体１の一方の端部に配置され、第１巻付軸２１及び第２巻付軸２２を備える巻付部２と、ラック本体１において巻付部２とは反対側の端部に配置され、ゴムストリップをＨ型輪３１上でフィルム材料に貼り付けるように構成されるゴム貼付機構６と、Ｈ型輪３１上でのゴム貼付機構６のゴムの貼り付けを容易にするために、ゴム貼付機構６の下方に配置され、Ｈ型輪３１及びＨ型輪３１を回転させる駆動部３２を備えるＨ型輪アセンブリ３と、巻付部２の斜め下方にＨ型輪アセンブリ３に近接して配置され、巻付部２により直接的または間接的に供給されるフィルム材料を切断するように構成される包装材切断機構４と、上部が包装材切断機構４に接続されると共に底部がラック本体１の底部に接続され、運動機構５１を備える包装材ガイド機構５と、が設けられ、運動機構５１の上部が包装材切断機構４に接続され、運動機構５１はＨ型輪に接近及び離反することが可能であり、本発明の実施形態において、運動機構５１は、水平方向または直交する方向に移動し、本発明の実施形態において、運動機構５１は、垂直方向に移動し、運動機構５１には、吸着アセンブリ５２及び押圧アセンブリ５３が設けられ、吸着アセンブリ５２は、運動機構５１の作用下でフィルム材料を負圧を介して吸着し、フィルム材料の切断された尾端をＨ型輪３１に送出するように構成され、押圧アセンブリ５３は、運動機構５１の作用下でＨ型輪３１へ向けて移動し、フィルム材料を押圧するように構成される。第１巻付軸２１及び第２巻付軸２２は、ビードワイヤを２つの層で包装するために、異なるフィルム材料をそれぞれ巻き付け、第１巻付軸２１及び第２巻付軸２２は、間隔を空けて並んで配置され、２つのフィルム材料は、搬送工程において分離され、互いに干渉しない。本発明のビードワイヤ包装装置は、ビードワイヤの包装効率を向上し、ビードワイヤの包装品質を改善するために、ビードワイヤの包装に用いられる。
【００３１】
本発明の実施形態は、上述のビードワイヤ包装装置を用いてビードワイヤの包装を実行するビードワイヤ包装方法を提供し、以下のステップを含む。
【００３２】
Ｓ１．第１巻付軸２１及び第２巻付軸２２は、２つの異なるフィルム材料をそれぞれ巻き付ける。第１巻付軸２１に対応する包装材ガイドロール装置８は、一方のフィルム材料を第１巻付軸２１に対応するずれ補正システム７に搬送する。第２巻付軸２２に対応する包装材ガイドロール装置８は、他方のフィルム材料を第２巻付軸２２に対応するずれ補正システム７に搬送する。包装材ガイドロール装置８は、それぞれの巻付軸とずれ補正システム７との間に対応して配置され、２つの包装材ガイドロール装置８は、第１巻付軸２１及び第２巻付軸２２上のフィルム材料を対応するずれ補正システム７にそれぞれ搬送してもよい。２つの包装材ガイドロール装置８は、互いに干渉しない。
【００３３】
Ｓ２．２つのずれ補正システム７は、２つの対応するフィルム材料のずれ方向を取得し、対応するずれ信号を対応するずれ補正センサ７１に出力する。ずれ補正センサ７１のずれ信号に従い、対応するずれ補正駆動部７２は動作するように制御され、それにより、フィルム材料を補正のためにフィルム材料の幅方向に沿って移動させる。それぞれの巻付軸は、ずれ補正システム７にそれぞれ対応しているので、２つのフィルム材料は両方とも補正され、それゆえに、ビードワイヤの包装後に異なるフィルム材料が容易に緩まないことをさらに確実にし、包装品質及び精度を保証する。
【００３４】
Ｓ３．２つの補正されたフィルム材料は、ずれ補正システム７に接続される包装材供給ロール装置９に搬送される。対応する包装材供給ロール装置９は、２つのフィルム材料を下方の包装材切断機構４にそれぞれ搬送する。２つのフィルム材料は、２つの包装材供給ポート４２１を通って包装材切断機構４に入り、ここで、一方のフィルム材料は、最初に、包装材切断機構４の下方からＨ型輪３１の外側環状面に搬送されて、最初にＨ型輪３１を包装するために用いられる。他方のフィルム材料は、さらなる使用のために包装材供給ポート４２１に入り、２つのフィルム材料は互いに干渉せず、それにより、作業効率及び包装品質を保証する。
【００３５】
Ｓ４．駆動部３２は、包装材押圧機構３３を動作させるために始動される。包装材押圧ロッド３３１は、押圧ヘッド３３２にフィルム材料をＨ型輪３１の外側環状面上でＨ型輪３１上のビードワイヤの表面に押圧させる。包装材押圧機構３３及びＨ型輪３１は、フィルム材料をＨ型輪３１上のビードワイヤ表面上に巻き付けるために、駆動部３２により同期して回転される。押圧ヘッド３３２は、Ｈ型輪３１がフィルム材料をＨ型輪３１に貼り付けることを促進し、それにより、フィルム材料が容易にＨ型輪３１から剥がれ落ちないことを確実にし、円滑な包装を保証する。
【００３６】
Ｓ５．Ｈ型輪３１が任意の位置に回転するとき、空気圧式包装材切断機４１がフィルム材料を切断するために動作する。空気圧式包装材切断機４１は、フィルム材料を切断するように構成され、フィルム材料を迅速に整然と切断することが可能である。
【００３７】
Ｓ６．包装材ガイド機構５上のスライドブロック５１３は、運動機構５１とＨ型輪３１との間の相対位置を調整するために、水平及び垂直方向にスライドする。スライドブロック５１３は、吸着アセンブリ５２及び押圧アセンブリ５３を移動させるために、接続ロッド５４を移動させるように移動する。吸着アセンブリ５２は、フィルム材料を負圧を介して吸着し、フィルム材料の切断された尾端をＨ型輪３１に送出する。押圧アセンブリ５３は、Ｈ型輪３１に向けて移動してフィルム材料を押圧する。包装材ガイド機構５は、円滑な次のゴムの貼り付けの準備をするために、フィルム材料の切断された尾端を円滑且つ効率的にＨ型輪３１に搬送してもよい。
【００３８】
Ｓ６．ゴム貼付機構６上のＺ軸方向調整手動クランク６３及びＸ軸方向調整手動クランク６４は、ゴム貼付機構６上のゴムストリッピングボード６６がフィルム材料の切断された尾端に対向できるように調整される。材料トレイ６１は、ゴムをゴムストリッピングボード６６へ搬送する。ゴムストリッピングボード６６は、ゴム押圧ロッド６５の作用下で、Ｈ型輪３１上でゴムストリップをフィルム材料に貼り付ける。牽引機構６７は、ゴムストライプ原料を再利用巻付トレイ６２に牽引し、それゆえに、ビードワイヤがフィルム材料により良好に包装される。
【００３９】
Ｓ７．他方のフィルム材料は、包装材切断機構４の下方からＨ型輪３１の外周面に搬送され、ステップＳ４からＳ６は、他のフィルム材料によりビードワイヤを包装するために繰り返される。
【００４０】
ビードワイヤ包装方法の全体は、単純な工程、高精度及び高効率を有する。ビードワイヤの包装品質は改善され、巻き付けられたフィルム材料は、包装後、ぶれず、容易に緩まず、ビードワイヤは、包装工程の間に互いに干渉しない２つのフィルム材料により包装されてもよい。作業工程は、迅速且つ効率的で、自動運転が実現され、手作業が削減される。
【００４１】
本発明は、上述の実施形態に限定されるものではない。本技術分野における当業者は、本発明の原理を逸脱することなく、改良及び洗練してもよく、このような改良及び洗練は、本発明の保護範囲内である。本明細書において詳細に説明されないことは、本分野の専門的な当業者に周知の従来技術である。
【符号の説明】
【００４２】
１…ラック本体、２…巻付部、２１…第１巻付軸、２２…第２巻付軸、３…Ｈ型輪アセンブリ、３１…Ｈ型輪、３２…駆動部、３３…包装材押圧機構、３３１…包装材押圧ロッド、３３２…押圧ヘッド、４…包装材切断機構、４１…空気圧式包装材切断機、４２…包装材バケット、４２１…包装材供給ポート、５…包装材ガイド機構、５１…運動機構、５１１…交差スライドテーブル送り台、５１２…ガイドレール、５１３…スライドブロック、５２…吸着アセンブリ、５３…押圧アセンブリ、５４…接続ロッド、６…ゴム貼付機構、６１…材料トレイ、６２…再利用巻付トレイ、６３…Ｚ軸方向調整手動クランク、６４…Ｘ軸方向調整手動クランク、６５…ゴム押圧ロッド、６６…ゴムストリッピングボード、６７…牽引機構、７…ずれ補正システム、７１…ずれ補正センサ、７２…ずれ補正駆動部、８…包装材ガイドロール装置、９…包装材供給ロール装置。
【図１】
0006845933.tif 000002
【図２】
0006845933.tif 000003